(57)【要約】【課題】棚柱の取付孔を凹溝の奥深い位置に配備する構成とすることで、取付孔が外観し難く陳列体裁が向上すると共に、棚柱及び棚受けの取付が簡便で、且つ安定性と耐荷重性を向上する棚板受け装置を提供する。【解決手段】収納ケース体３の側板内面３１ａに設けた凹溝３２に嵌め込まれる棚柱１と、この棚柱１に対し装脱自在な棚受け２とから成り、棚柱１は凹溝３２の溝内に位置する基板部１１と、この基板部１１の両側辺に連続し凹溝３２の溝壁３２ｂに接面する両側板部１２、１２と、基板部１１の面内に一定間隔を開いて上下方向へ多数開設される取付孔１３とから成ることを特徴とする。【選択図】          図１
2004248780.tif 000002
【特許請求の範囲】
【請求項１】
収納ケース体の側板内面に設けた凹溝に嵌め込まれる棚柱と、この棚柱に対し装脱自在な棚受けとから成り、棚柱は凹溝の溝内に位置する基板部と、この基板部の両側辺に連続し凹溝の溝壁に接面する両側板部と、基板部の面内に一定間隔開いて上下方向へ多数開設される取付孔とから成ることを特徴とする棚板受け装置。
【請求項２】
上記棚柱の開口基端部には、両側板部に連続し外方向へ直角に屈曲するフランジ部が設けられていることを特徴とする請求項１記載の棚板受け装置。
【請求項３】
上記棚柱の両側板部の外面には、凹溝の溝壁に喰い込む係止爪が突設されていることを特徴とする請求項１記載の棚板受け装置。
【請求項４】
上記棚受けは、棚板を支承する水平支持部と、水平支持部の先端に設けられ、取付孔に嵌入して前面が基板部の裏面に接面する嵌入当接部と、水平支持部から垂下し、裏面が基板部の表面に接面する接面垂直部と、この接面垂直部の下端に突設され、上記嵌入当接部が嵌入する取付孔と隣合う取付孔に嵌入する嵌着突部とから成ることを特徴とする請求項１記載の棚板受け装置。
【発明の詳細な説明】
【０００１】
【発明の属する技術分野】
この発明は、例えばディスプレー用陳列棚などの棚板受け装置に関する。
【０００２】
【従来の技術】
図５は、従来の収納ケース体の棚板受け装置を示す説明斜視図である。
収納ケース体３は、例えば両側板３１、３１と天板３３と、底板３４とから成る陳列用の筺状体に形成されている。
【０００３】
棚板受け装置は、両側板３１、３１の内面３１ａに所定深さの凹溝３２が設けられ、この凹溝３２に嵌入される棚柱５と、棚柱５に対し装脱自在に取付られる棚受け６とから成る。
【０００４】
棚柱５は、図６で示すように、長さの長い矩形平板状の表面板５１と、表面板５１の裏面に前方へ突設され、凹溝３２の溝壁３２ｂに接面状に嵌入する両側板部５２、５２とから成る。
【０００５】
そして、表面板５１の面内には上下方向へ一定間隔を存して多数の取付孔５３が開設されている。この取付孔５３は、大径の円形孔５３ａの下方に連続して幅狭の矩形孔５３ｂを設けて構成している。
【０００６】
上記棚受け６は、大径の丸棒軸体（棚受け軸体）６１の先端面に小径の短軸６２を突設し、この小径短軸６２の先端に円板状のストッパ部６３を設けている。
【０００７】
使用に際しては、収納ケース体３の側板３１の内面３１ａに予め設けられている凹溝３２に棚柱５を嵌入させる。両側板部５２、５２が、凹溝３２の溝壁３２ｂに接面状に嵌入するとき、表面板５１の両側内面（両側板部５２の外側）が側板内面３１ａに被り状に接面する。
【０００８】
この状態で、表面板５１の面内適所に開設されたビス孔５４からビス（釘）を凹溝底３２ａに打ち付けて棚柱５を固定する。ついで、棚柱５に対し棚受け６を取付ける。
【０００９】
つまり、大径円形孔５３ａに対しストッパ部６３を挿通させ、棚受け６を矩形孔５３ｂ側へ引き下ろすことで、小径短軸６２が矩形孔５３ｂに位置する。そして、この状態が表面板５１を表裏から挟みつける棚受け軸体６１とストッパ部６３とで固定される。
【００１０】
図５で示すように、棚板４は両側板３１（３１）の内面３１ａの棚受け４、４と、対向する棚受け４、４との間で支承される。
【００１１】
【発明が解決しようとする課題】
従来の棚板受け装置では、棚柱の正面板部すなわち表面板の面内に、棚受け取付用の取付孔が多数、上下方向へ開設してある。また、表面板は側板の内面に対し被り状、つまり側板内面より内方向へ突出して位置している。
【００１２】
一方、棚柱の表面板が位置する部位は、棚板を見る者の目線が集まり易い位置である。従って、この表面板の面内に取付用の窓孔が多数縦列する構成は、陳列体裁が極めて悪い。
【００１３】
更に、表面板の面内には棚柱を凹溝に固定するためのビス孔が適所に複数開設してある。このため、ビス打ちの煩瑣な作業が必要となる許かりでなく、ビス頭（釘頭）が目視される結果、外観体裁が一層悪くなる不利がある。
【００１４】
また、棚板にかかる荷重は、棚受けの最も細い小径短軸（が矩形孔縁に係止すること）により受け止められる構成であり、且つ一個の棚受けは一個の取付孔に支承させる構成であるため、耐荷重性に劣る不利がある。
【００１５】
更に、棚受け（棚受け軸体）は単なる丸棒軸である。このため、平板である棚板の裏面を線接触で支承する結果となり、棚板受けの安定性が悪いなど、幾多の欠点があった。
【００１６】
この発明は、以上のような課題を解消させ、棚柱の取付孔を凹溝の奥深い位置に配備する構成とすることで、取付孔が外観し難く陳列体裁が向上すると共に、棚柱及び棚受けの取付けが簡便で、且つ安定性と耐荷重性を向上させた棚板受け装置を提供することを目的とする。
【００１７】
【課題を解決するための手段】
この目的を達成させるために、この発明の棚板受け装置では次のような構成としている。
棚板受け装置は、収納ケース体の側板内面に設けた凹溝に嵌め込まれる棚柱と、この棚柱に対し装脱自在な棚受けとから成り、棚柱は凹溝の溝内に位置する基板部と、この基板部の両側辺に連続し凹溝の溝壁に接面する両側板部と、基板部の面内に一定間隔開いて上下方向へ多数開設される取付孔とから成ることを特徴とする。
【００１８】
このような構成を有する棚板受け装置では、棚受けを取付ける取付孔を、凹溝の奥深い位置に配備することとした。つまり、凹溝に嵌入する基板部に取付孔が設けてある。従って、取付孔は収納ケース体の側板内面からは、奥まった位置となるため極めて目視し難い。これにより、陳列上の美麗な外観体裁が向上する。
【００１９】
また、棚柱の両側板部の外面には、凹溝の開口幅（溝壁間隔）よりも僅かに突出する係止爪が突設してある。従って、棚柱を凹溝に押圧して嵌入させるとき、突出する係止片が両側板部に喰い込み強固に固定される。
【００２０】
更に、単一の棚受けの上下２箇所（上側の嵌入当接部と下側の嵌着突部）が、それぞれ上・下に隣り合う２つの取付孔に係合して取付けられる。従って、上下２点止めとなり、耐荷重性が向上する。
【００２１】
【発明の実施の形態】
以下、図面に基づき本発明に係る棚板受け装置の具体的な実施の形態を説明する。
図１は、棚板受け装置の具体的な実施の形態を示す説明図である。
この棚板受け装置は、収納ケース体３の凹溝３２に嵌め込まれる棚柱１と、この棚柱１に対し装脱自在な棚受け２とから成る。
【００２２】
収納ケース体３は、図４で示すように、例えば組み立て容易な木製の筺体で、両側板３１、３１と天板３３と底板３４とから構成される。両側板３１、３１の内面３１ａには、手前側と奥側に所定間隔開いて、一定幅、深さ、長さの凹溝３２、３２が縦条に形成されている。
【００２３】
前記棚柱１は、アルミ或いはステンレス等の鋼材で、断面が「Ｈ」字形状の細長い矩形フレーム体に成形され、上記凹溝３２に適正に嵌着する大きさ（幅・長さ・奥行き）に形成してある。
【００２４】
棚柱１は図３で示すように、基板部１１と、両側板部１２、１２とから成る。側板部１２、１２は、外面が上記凹溝３２の溝壁（溝側壁面）３２ｂに接面状に嵌入するように対向距離が設定されている。
【００２５】
そして、上記基板部１１は両側板部１２、１２間であって凹溝３２の溝底３２ａに平行で且つ溝深さの略中央に介在配備するように設定してある。つまり、中央の基板部１１を挟んで対向する両側板部１２、１２とで、棚柱１は断面が略「Ｈ字状」に形成してある。
【００２６】
更に、この平板状の基板部１１の面内には、上下方向へ一定間隔開いて角形状の取付孔１３が多数開設してある。後述する棚受け２は、適宜選択した取付孔１３に取付けられる。
【００２７】
また、両側板部１２、１２の基端部は、外向き直角状に折り曲げてフランジ部１５、１５を屈曲形成している。両側板部１２が、凹溝３２に完全に嵌入するとき、フランジ部１５の内面が側板内面３１ａに接面すると同時に、両側板部１２の先端が凹溝底３２ａに当接する。
【００２８】
また、両側板部１２、１２の外面には、側板部１２が凹溝３２に嵌入するとき、凹溝壁３２ｂに対し喰い込み状となり、強固に固定される係止爪１４を突設している。従って、これによりビス止めが不用となる。
【００２９】
前記棚受け２は、図２及び図３で示すように、ステンレス等の金属板のプレス成形品で、基板部１２の取付孔１３に係脱可能に係合して取付けられる。
【００３０】
棚受け２は、図１で示すように、水平支持部２１と、水平支持部２１の基端側から連続状に垂下する接面垂直部２３とから成る。つまり、棚受け２は「Ｌ字状」の平板に形成してあり、水平支持部２１の基端には上方へ連続状に立ち上がる嵌入当接部２２が突設してある。
【００３１】
この嵌入当接部２２の立ち上がり内面は、垂直壁面に設定され、外側面は弯曲状に設定して取付孔１３内での嵌入当接部２２の回動容易を企図している。
【００３２】
また、接面垂直部２３の下端には、嵌着突部２４が突設してある。図２で示すように、多数の取付孔１３のうちの適当位置の取付孔１３ａに、嵌入当接部２２が嵌入した状態で、嵌着突部２４が直ぐ下側に位置する（隣り合う）取付孔１３ｂに嵌入するように設定してある。
【００３３】
このような構成を有する棚板受け装置では、図１で示すように、収納ケース体に予め設けられた凹溝３２に対し棚柱１を押し込む。このとき、凹溝３２幅より僅かに小さい対向両側板部１２、１２の先端は、スムーズに嵌入する。
【００３４】
更に、棚柱１を押し込むと、係止爪１４が凹溝３２の溝壁面３２ｂに対し喰い込み状に侵入する。そして、両側板部１２、１２の先端が凹溝底３２ａに当接するとき、基板部１１は凹溝３２の奥深い位置に位置し、且つフランジ部１５が側板の内面３１ａに当接して強固に固定される（図３参照）。
【００３５】
ここで、適当な取付孔１３ａを選択して、棚受け２を取付ける。
図２でしめすように、取付孔（上側取付孔）１３ａに嵌入当接部２２を挿し込む（図２の仮想線の状態）。そして、嵌入当接部２２を支点に棚受け２を９０度回動させる（図２の実線の状態）。
【００３６】
これにより、上側の取付孔１３ａに嵌入当接部２２が、下側の取付孔１３ｂ  に嵌着突部２４がそれぞれ嵌着して、上下２点止めされ、耐荷重性が向上する。また、この状態において、嵌入当接部２２の内面が基板部１１の裏面に接面している。
【００３７】
従って、水平支持部２１に乗せ置かれる棚板４が受ける荷重は、嵌入当接部２２と嵌着突部２４に対し時計回り方向（上側方向）への力がかかり、一層、強力に基板部１１に止着される。
【００３８】
棚板４は図４で示すように、凹溝（棚受け２）３２より、収納ケース体３の内方向へ突出する水平支持部２１によって支承される。水平支持部２１の上面は矩形状の平板であり、棚板４を面接触で安定支承する。
【００３９】
尚、図示はしないが、棚板４の裏面（水平支持部２１に接面する部分）に、水平支持部２１が嵌合する溝部を形成するときは、棚板４の安定支持が一層確実となる。
【００４０】
【発明の効果】
この発明では、以上のように、収納ケース体の側板内面に設けた凹溝に嵌め込まれる棚柱は、基板部と両側板部とからなり、凹溝の奥深くに位置する基板部に棚受けを取付ける取付孔を設けることとしたから、外観体裁の悪い目障りな取付孔は陳列棚を見る者の目には目視しずらい。これにより、美麗な陳列体裁を保持し得る。
【００４１】
更に、棚柱は単に凹溝に押し込むだけで、係止爪が凹溝壁に食い込み、強固に固定されることとしたから、従来のように煩わしいビス打ち込み作業が省略し得る許かりでなく、ビス孔（ビス頭）が外観される虞れが完全に解消された。従って、陳列体裁を一層向上させ得る。
【００４２】
また、棚受けは基板部の上・下に隣り合う二つの取付孔に係合する２点止め構造としたから、耐荷重性を一層向上させ得、安定且つ正確に棚板を支承保持し得るなど、発明目的を達成した優れた効果を有する。
【図面の簡単な説明】
【図１】実施の形態の棚板受け装置を示す分解斜視図である。
【図２】棚柱（基板部）に棚受けを取付ける状態を示す説明断面図である。
【図３】棚柱を凹溝に嵌着させた状態を示す断面図である。
【図４】実施の形態の棚板受け装置を示す斜視図である。
【図５】従来の棚板受け装置を示す斜視図である。
【図６】従来の棚板受け装置を示す分解斜視図である。
【符号の説明】
１      棚柱
２      棚受け
３      収納ケース体
４      棚板
１１    基板部
１２    側板部
１３    取付孔
１４    係止爪
１５    フランジ部
２１    水平支持部
２２    嵌入当接部
２３    接面垂直部
２４    嵌着突部
３１    側板
３２    凹溝
３１ａ  凹溝内面
【図１】
2004248780.tif 000003
【図２】
2004248780.tif 000004
【図３】
2004248780.tif 000005
【図４】
2004248780.tif 000006
【図５】
2004248780.tif 000007
【図６】
2004248780.tif 000008